(57)【要約】【課題】時刻修正時における省電力化を図れる電波修正時計、及び時刻修正方法を提供する。【解決手段】電波修正時計１は、内部時刻をカウントする内部カウンター９３Ａと、内部時刻を表示する指針１０と、現在時刻を取得する受信処理手段９１と、基準信号に基づいて現在時刻を更新する修正カウンター９３Ｂと、指針１０を正転方向に駆動させる指針駆動手段１７と、時刻を修正する表示時刻制御手段９５と、を備え、表示時刻制御手段９５は、内部時刻が現在時刻よりも遅れている場合、指針駆動手段１７により指針１０を早送りさせる第一修正モードを実施し、内部時刻が現在時刻よりも進んでいる場合、指針１０の運針速度を停止させ、修正カウンター９３Ｂでカウントされる現在時刻が、内部カウンター９３Ａの内部時刻と一致するタイミングで指針１０の駆動速度を通常運針速度に戻す第二修正モードを実施する。【選択図】図１
2014032067.tif 000002
【特許請求の範囲】
【請求項１】
指針と、
内部時刻をカウントする内部時刻計時手段と、
現在時刻を取得する現在時刻取得手段と、
基準信号生成手段から出力される基準信号に基づいて、前記現在時刻を更新する現在時刻更新手段と、
前記指針を正転方向に駆動させて指針位置を変化させる指針駆動手段と、
前記内部時刻、及び前記現在時刻を比較し、これらの内部時刻及び現在時刻が異なる場合に、前記内部時刻及び前記指針の表示位置を修正する時刻修正手段と、を備え、
前記時刻修正手段は、前記内部時刻が前記現在時刻よりも遅れている場合、前記指針駆動手段により前記指針を早送りさせて前記指針の表示位置を修正する第一修正モードを実施し、
前記内部時刻が前記現在時刻よりも進んでいる場合、前記指針の運針速度を通常運針速度未満に低下させ、前記現在時刻更新手段により更新された前記現在時刻が、前記内部時刻と一致するタイミングで前記指針の駆動速度を前記通常運針速度に戻すことで前記指針の表示位置を修正する第二修正モードを実施する
ことを特徴とする電波修正時計。
【請求項２】
請求項１に記載の電波修正時計において、
前記時刻修正手段は、
前記内部時刻が前記現在時刻よりも進んでおり、前記内部時刻及び前記現在時刻の時刻差が所定の閾値未満である場合、前記第二修正モードを実施し、
前記内部時刻が前記現在時刻よりも進んでおり、前記時刻差が前記閾値以上である場合に、前記第一修正モードを実施する
ことを特徴とする電波修正時計。
【請求項３】
請求項１に記載の電波修正時計において、
前記時刻修正手段は、前記内部時刻が前記現在時刻よりも進んでいる場合で、
前記第一修正モードによる時刻修正に要する第一修正時間が、前記第二修正モードによる時刻修正に要する第二修正時間よりも短い場合、前記第一修正モードを実施し、
前記第二修正時間が前記第一修正時間より短い場合、前記第二修正モードを実施する
ことを特徴とする電波修正時計。
【請求項４】
請求項１から請求項３のいずれかに記載の電波修正時計において、
前記時刻修正手段は、前記第二修正モードにおいて、前記指針の運針を停止させる
ことを特徴とする電波修正時計。
【請求項５】
請求項１から請求項３のいずれかに記載の電波修正時計において、
前記時刻修正手段は、前記第二修正モードにおいて、前記通常運針速度よりも低い運針速度で前記指針を駆動させる
ことを特徴とする電波修正時計。
【請求項６】
内部時刻をカウントする内部時刻計時手段と、前記内部時刻を表示する指針と、現在時刻を取得する現在時刻取得手段と、前記指針を正転方向に駆動させて指針位置を変化させる指針駆動手段と、を備えた電波修正時計における時刻修正方法であって、
前記内部時刻が前記現在時刻よりも遅れている場合、前記指針駆動手段により前記指針を早送りさせて前記指針の表示位置を修正する第一修正モードを実施し、
前記内部時刻が前記現在時刻よりも進んでいる場合、前記指針の運針速度を通常運針速度未満に低下させ、前記現在時刻を基準信号生成手段から出力される基準信号に基づいて更新して、その更新された前記現在時刻が前記内部時刻と一致したタイミングで、前記指針の駆動速度を前記通常運針速度に戻すことで前記指針の表示位置を修正する第二修正モードを実施する
ことを特徴とする時刻修正方法。
【発明の詳細な説明】
【技術分野】
【０００１】
本発明は、指針により時刻を表示し、その表示時刻を修正する時刻修正機能を有する電波修正時計、及び電波修正時計における時刻修正方法に関する。
【背景技術】
【０００２】
従来、表示された時刻を自動的に修正する電波修正時計が知られている。
このような電波修正時計には、指針を逆転（反時計回り方向への回転駆動）させず、正転（時計周り方向への回転駆動）のみにより時刻を修正する時計がある（例えば特許文献１参照）。
特許文献１に記載の時計は、指針（時針、分針、秒針）により時刻を表示させるアナログ時計であり、例えばアラームの設定時刻を表示させる場合や、外国の時刻を指針により表示させる場合において、指針の表示位置を、現在の表示位置から所定の指針位置まで指針を移動させる際に、指針を早送りさせている。
【先行技術文献】
【特許文献】
【０００３】
【特許文献１】特開２０１１−５３１５９号公報
【発明の概要】
【発明が解決しようとする課題】
【０００４】
ところで、上記特許文献１は、例えばアラームの設定時刻を表示させる場合や、外国の時刻を指針により表示させる場合において、指針を早送りして所定の位置に移動させる時計である。
一方、表示時刻を所定の修正時刻に修正する際、表示時刻が修正時刻よりも進んでいる場合、上記特許文献１のような指針の早送りのみにより時刻修正を実施すると、指針を回転させる量が多くなり、時刻修正に要する時間も長くなる。このため、指針を駆動させるための駆動電力も増大してしまうという課題がある。
【０００５】
本発明は、時刻修正時における省電力化を図れる電波修正時計、及び時刻修正方法を提供することを目的とする。
【課題を解決するための手段】
【０００６】
本発明の電波修正時計は、内部時刻をカウントする内部時刻計時手段と、前記内部時刻を表示する指針と、現在時刻を取得する現在時刻取得手段と、基準信号生成手段から出力される基準信号に基づいて、前記現在時刻を更新する現在時刻更新手段と、前記指針を正転方向に駆動させて指針位置を変化させる指針駆動手段と、前記内部時刻、及び前記現在時刻を比較し、これらの内部時刻及び現在時刻が異なる場合に、前記内部時刻及び前記指針の表示位置を修正する時刻修正手段と、を備え、前記時刻修正手段は、前記内部時刻が前記現在時刻よりも遅れている場合、前記指針駆動手段により前記指針を早送りさせて前記指針の表示位置を修正する第一修正モードを実施し、前記内部時刻が前記現在時刻よりも進んでいる場合、前記指針の運針速度を通常運針速度未満に低下させ、前記現在時刻更新手段により更新された前記現在時刻が、前記内部時刻と一致するタイミングで前記指針の駆動速度を前記通常運針速度に戻すことで前記指針の表示位置を修正する第二修正モードを実施することを特徴とする。
なお、本発明で述べる「通常運針速度」とは、時刻修正を実施していない時に指針を運針させる速度であり、例えば秒針を６０秒間で１回転、分針を６０分間で１回転、時針を１２時間で１回転させる運針速度である。
また、現在時刻取得手段としては、例えば、ＧＰＳ衛星等の位置情報衛星から発信される衛星信号から送信される衛星信号を受信して、受信した衛星信号に基づいて現在時刻を取得する構成や、所定の基地局から発信される時刻情報を含む標準電波を受信して、受信した標準電波に含まれる現在時刻を取得する構成等を用いることができる。
【０００７】
本発明では、表示時刻が現在時刻よりも遅れている場合、第一修正モードにより指針を早送り駆動させて時刻修正を行う。また、内部時刻が現在時刻よりも進んでいる場合、第二修正モードにより、基準信号に基づいて更新される現在時刻が、内部時刻と一致するまで、つまり、現在時刻が内部時刻に追いつくまで、指針の運針速度を低下させ、現在時刻と内部時刻とが一致したタイミングで運針速度を通常速度に戻すことで時刻修正を実施する。この場合、指針を早送り駆動させる必要がなく、指針駆動に係る電力を低減できる。したがって、例えば、ソーラーパネル等の発電装置により発電された電力を用いて電波修正時計を駆動させる場合では、発電装置のエネルギー収支を向上させることができ、２次電池から供給される電力を用いて時計を駆動させる場合では、電池寿命を長くすることができる。
また、内部時刻と現在時刻との時刻差によっては、第一修正モードで指針を早送りさせて時刻修正を行う場合よりも早く時刻修正を完了させることができる。
【０００８】
本発明の電波修正時計では、前記時刻修正手段は、前記内部時刻が前記現在時刻よりも進んでおり、前記内部時刻及び前記現在時刻の時刻差が所定の閾値未満である場合、前記第二修正モードを実施し、前記内部時刻が前記現在時刻よりも進んでおり、前記時刻差が前記閾値以上である場合に、前記第一修正モードを実施することが好ましい。
【０００９】
ここで、本発明の閾値としては、指針の運針速度低下が許容される時間を設定する。このような閾値（時間）としては、例えばユーザーアンケート等により得られる平均許容時間であってもよく、ユーザーの感覚によって適宜設定された値としてもよい。
本発明では、閾値を設けることで、ユーザーが、時計の故障等による動作不良と、第二修正モードが実施された場合の時刻修正との違いを容易に判断できる。つまり、第二修正モードにおいて、運針速度を通常運針速度未満にしても、運針速度が低下する時間は閾値未満となり、閾値以上の長時間に亘って運針速度が低下された状態が継続しない。したがって、ユーザーは、閾値に対応する時間が経過した後に、指針が駆動しているか否かを確認することで、容易に、時計の動作不良と時刻修正動作とを判別することができる。
【００１０】
本発明の電波修正時計では、前記時刻修正手段は、前記内部時刻が前記現在時刻よりも進んでいる場合で、前記第一修正モードによる時刻修正に要する第一修正時間が、前記第二修正モードによる時刻修正に要する第二修正時間よりも短い場合、前記第一修正モードを実施し、前記第二修正時間が前記第一修正時間より短い場合、前記第二修正モードを実施することが好ましい。
本発明では、第一修正時間と第二修正時間とを比較し、より早く時刻修正が完了する一方により時刻修正を実施する。これにより、迅速な時刻修正ができ、ユーザーの利便性が向上する。
【００１１】
本発明の電波修正時計において、前記時刻修正手段は、前記第二修正モードにおいて、前記指針の運針を停止させることが好ましい。
本発明では、第二修正モードにおいて、指針の運針を停止させる。このため、第二修正モードを実施している間の指針の駆動に係る消費電力を、通常運針時よりも低減できる。また、第二修正モードにおいて、指針位置が変化しないため、低速で指針を駆動させる場合に比べて、より早く現在時刻が内部時刻に追い付き、迅速に時刻修正を完了することができる。
【００１２】
本発明の電波修正時計において、前記時刻修正手段は、前記第二修正モードにおいて、前記通常運針速度よりも低い運針速度で前記指針を駆動させることが好ましい。
本発明では、第二修正モードにおいて、指針を停止させず、通常運針速度よりも低い速度で運針させる。この場合、ユーザーは、指針が動いているか停止しているかを判断することで、時計が故障しているのか、第二修正モードによる時刻修正中であるかを容易に判別することができる。
【００１３】
本発明の時刻修正方法は、内部時刻をカウントする内部時刻計時手段と、前記内部時刻を表示する指針と、現在時刻を取得する現在時刻取得手段と、前記指針を正転方向に駆動させて指針位置を変化させる指針駆動手段と、を備えた電波修正時計における時刻修正方法であって、前記内部時刻が前記現在時刻よりも遅れている場合、前記指針駆動手段により前記指針を早送りさせて前記指針の表示位置を修正する第一修正モードを実施し、前記内部時刻が前記現在時刻よりも進んでいる場合、前記指針の運針速度を通常運針速度未満に低下させ、前記現在時刻を基準信号生成手段から出力される基準信号に基づいて更新して、その更新された前記現在時刻が前記内部時刻と一致したタイミングで、前記指針の駆動速度を前記通常運針速度に戻すことで前記指針の表示位置を修正する第二修正モードを実施することを特徴とする。
【００１４】
本発明では、上述した発明と同様、内部時刻が現在時刻よりも進んでいる場合に、基準信号に基づいて更新される現在時刻が、内部時刻と一致するまで、指針の運針速度を低下させ、現在時刻と内部時刻とが一致したタイミングで運針速度を通常速度に戻す第二修正モードにより時刻修正を実施する。このため、指針を早送り駆動させる必要がなく、指針駆動に係る電力を低減できる。したがって、例えば発電装置により発電された電力を用いて電波修正時計を駆動させる場合では、発電装置のエネルギー収支を向上させることができ、電池から供給される電力を用いて時計を駆動させる場合では、電池寿命を長くすることができる。
【図面の簡単な説明】
【００１５】
【図１】本発明に係る第一実施形態の電波修正時計の概略構成を示すブロック図。
【図２】第一実施形態の電波修正時計の正面図。
【図３】第一実施形態の電波修正時計における時刻修正処理を示すフローチャート。
【図４】本発明に係る第二実施形態の電波修正時計における時刻修正処理を示すフローチャート。
【発明を実施するための形態】
【００１６】
以下、本発明の第一実施形態について、図面に基づいて説明する。
［電波修正時計の概略構成］
図１は、本実施形態に係る電波修正時計１の概略構成を示すブロック図である。図２は、本実施形態の電波修正時計１の正面図である。
電波修正時計１は、フレームにより構成される時刻データを含む標準電波を受信して、当該標準電波に基づくＴＣＯ（Time Code Out）信号を復調する。そして、当該電波修正時計１は、ＴＣＯ信号を符号化して時刻データを取得し、当該時刻データに基づいて内部時刻情報を修正する。
このような電波修正時計１は、図１に示すように、アンテナ２、受信回路３、制御装置４、表示手段５、操作手段６、及び指針駆動手段１７を備える。
【００１７】
表示手段５は、図２に示すように、時針１１、分針１２、及び秒針１３からなる指針１０と、指針１０により時刻を表示させるための文字板１４とを備える。
操作手段６は、図１及び図２に示すように、りゅうず１５やボタン１６を備える。
また、電波修正時計１は、文字板１４の裏面に設けられるソーラーパネル１８（図２参照）を備え、ソーラーパネル１８により発電された電力を二次電池（図示略）に蓄電する。そして、二次電池に蓄電された電力を用いて、受信回路３、制御装置４、及び指針駆動手段１７等の各構成を駆動させる。
なお、本実施形態では、ソーラーパネル１８により発電される電力を二次電池に蓄電する構成を例示するが、これに限定されず、その他の発電装置が設けられる構成としてもよい。また、発電装置が設けられない構成としてもよく、この場合、各構成に電力を供給する電池を備える構成とすることができる。
【００１８】
アンテナ２は、標準電波を受信して、受信した標準電波に応じた受信信号を受信回路３に出力する。
受信回路３は、制御装置４から入力される制御信号に基づいて、アンテナ２を介して標準電波を受信し、当該標準電波に応じた受信信号を復調して、復調信号としてのＴＣＯ信号を生成する。そして、当該受信回路３は、生成したＴＣＯ信号を、制御装置４の制御回路９に出力する。このような受信回路３は、詳しい図示を省略するが、同調回路、増幅回路、バンドパスフィルター、包絡線検波回路等を備える。
なお、本実施形態に係る受信回路３は、日本の標準電波「ＪＪＹ」の他、アメリカ合衆国の標準電波「ＷＷＶＢ」、ドイツの標準電波「ＤＣＦ７７」、イギリスの標準電波「ＭＳＦ」、中華人民共和国の標準電波「ＢＰＣ」等の各地域における標準電波を受信可能に構成されている。
【００１９】
制御装置４は、電波修正時計１の動作を制御する。例えば、制御装置４は、受信回路３に制御信号を出力して当該受信回路３の動作を制御する。また、制御装置４は、受信回路３から入力されるＴＣＯ信号をデコードしてＴＣ（Time Code）を生成し、当該ＴＣに基づいて内部時刻を修正する。更に、制御装置４は、当該内部時刻に基づいて指針１０を駆動させる。このような制御装置４の構成は、後に詳述する。
【００２０】
指針駆動手段１７は、ステッピングモーター１７１、ステッピングモーター１７１の駆動を制御するモーター駆動回路１７２、及びステッピングモーター１７１の駆動力を指針１０に伝達する輪列（図示略）を備えている。このステッピングモーター１７１は、指針１０により後述する計時手段９３でカウントされる内部時刻に応じた時刻表示を実施する際、及び、受信回路３で受信した標準電波に基づいた時刻修正を実施する際に、指針１０を正転方向（時計周り方向）に駆動させる。
具体的には、表示手段５に通常の時刻表示をさせる場合、指針駆動手段１７は、指針１０を通常運針速度で運針させる。この場合、モーター駆動回路１７２は、ステッピングモーター１７１に、１Ｈｚの駆動信号を入力する。これにより、ステッピングモーター１７１は、例えば、秒針１３を６０秒間で１回転させ、分針１２を１時間で１回転させ、時針１１を１２時間で１回転させる。
一方、時刻修正において、指針１０を早送り駆動させる場合、モーター駆動回路１７２は、例えば１秒間に６４パルスの駆動信号をステッピングモーター１７１に入力する。これにより、指針１０は６４倍速の速さで早送り運針される。
【００２１】
なお、本実施形態では、電波修正時計１に１つのステッピングモーター１７１が設けられ、このステッピングモーター１７１から出力される駆動力により、時針１１、分針１２、及び秒針１３を駆動させる構成を例示するが、これに限られない。例えば、秒針１３を、秒駆動モーターにより駆動させ、時針１１及び分針１２を時分駆動モーターにより駆動させる構成などとしてもよい。また、分針１２及び秒針１３を、分秒駆動モーターにより駆動させ、時針１１を時駆動モーターにより駆動させる構成などとしてもよい。
【００２２】
［制御装置の構成］
制御装置４は、電波修正時計１全体の動作を制御するものであり、発振回路７、分周回路８及び制御回路９を備える。
発振回路７及び分周回路８は、所定周波数の基準信号を生成及び出力する基準信号生成手段として構成されている。
具体的に、発振回路７は、水晶振動子等の図示しない基準信号源が接続されており、当該発振回路７は、基準信号源を高周波発振させ、当該高周波発振により発生する発振信号を分周回路８に出力する。
分周回路８は、入力される発振信号を分周する。この分周回路８は、所定の基準信号（例えば、１Ｈｚのパルス信号）を、制御回路９に出力する。
【００２３】
［制御回路の構成］
制御回路９は、ＣＰＵ等の演算処理回路等を備えて構成されている。この制御回路９は、受信処理手段９１（現在時刻取得手段）、制御手段９２、計時手段９３（内部時刻計時手段，現在時刻更新手段）、外部操作制御手段９４、及び表示時刻制御手段９５（時刻修正手段）を備える。
【００２４】
受信処理手段９１は、受信した標準電波の種類を判別し、受信回路３から入力されるＴＣＯ信号（Time Code Out：タイムコード出力）を符号化して、現在の時刻データ（現在時刻）を取得し、当該時刻データを制御手段９２に出力する。つまり、受信処理手段９１は、本発明の現在時刻取得手段として機能する。
【００２５】
制御手段９２は、受信回路３に制御信号を出力して、当該受信回路３の受信動作を制御する。通常、制御手段９２は、計時手段９３によって計時される時刻が予め設定された受信処理時刻（例えば、午前２時）になると、受信回路３に受信動作を行わせる。
また、制御手段９２は、表示時刻制御手段９５に制御信号を出力して、時刻データが取得された場合に、当該時刻データに基づいて、計時手段９３により計時されている内部時刻を修正させ、表示時刻制御手段９５により、指針１０で表示される表示時刻を修正させる。
【００２６】
計時手段９３は、内部時刻をカウントする内部カウンター９３Ａ（内部時刻計時手段）、及び受信処理手段９１により取得された時刻データ（現在時刻）がセットされる修正カウンター９３Ｂ（現在時刻更新手段）を備える。
そして、計時手段９３は、分周回路８から入力される基準信号に基づいて、内部カウンター９３Ａの内部時刻のカウントを行う。また、計時手段９３は、受信処理手段９１により現在時刻が取得されると、その現在時刻を修正カウンター９３Ｂにセットし、分周回路８から入力される基準信号に基づいて、現在時刻のカウントを行う。
すなわち、内部カウンター９３Ａには、指針１０の表示時刻に対応した内部時刻が格納され、修正カウンター９３Ｂには、正確な現在時刻が格納される。
【００２７】
外部操作制御手段９４は、りゅうず１５及びボタン１６の操作を検出し、当該操作に応じた制御を指示する。このような制御として、アンテナ２で受信される標準電波の種類を設定する制御や、標準電波を受信して内部時刻を修正させる手動受信処理（強制受信処理）を行う制御等が挙げられる。
【００２８】
表示時刻制御手段９５は、制御手段９２から出力される制御信号に基づき、前述の時針１１、分針１２及び秒針１３からなる指針１０の駆動を制御する。
具体的には、表示時刻制御手段９５は、計時手段９３で計時される内部時刻（内部カウンター９３Ａの値）が１秒毎に更新されると、モーター駆動回路１７２に駆動信号を入力して、ステッピングモーター１７１を駆動させ、指針１０を１秒分運針させる。
【００２９】
また、表示時刻制御手段９５は、本発明の時刻修正手段としても機能する。すなわち、表示時刻制御手段９５は、受信処理手段９１により現在時刻が取得されると、計時手段９３により計時される内部時刻と、取得した現在時刻とを比較する。そして、表示時刻制御手段９５は、これらの表示時刻及び現在時刻が異なる場合、指針１０の駆動状態を変化させて、表示時刻を修正する。
なお、表示時刻制御手段９５による時刻修正処理の詳細については、後述する。
【００３０】
［電波修正時計１における時刻修正処理］
次に、電波修正時計１による時刻修正処理について、図３に基づいて説明する。
図３は、本実施形態における電波修正時計１における時刻修正処理を示すフローチャートである。
電波修正時計１の制御手段９２は、上述したように、計時手段９３によって計時される時刻が予め設定された受信処理時刻になった場合や、外部操作制御手段９４の操作により時刻修正処理を要求する操作が実施された場合に、時刻修正処理を実施する。
この時刻修正処理では、図３に示すように、制御手段９２は、まず、受信処理手段９１により、標準電波を受信させる（ステップＳ１）。
このステップＳ１により、受信処理手段９１は、受信回路３を駆動させ、アンテナ２から入力された標準電波からＴＣＯ信号を抽出し、当該ＴＣＯ信号を符号化して現在時刻を取得する。また、計時手段９３は、現在時刻が取得されると、修正カウンター９３Ｂに当該現在時刻をセットし、基準信号に基づいて、修正カウンター９３Ｂの値（現在時刻）をカウントする。
【００３１】
次に、表示時刻制御手段９５は、取得した現在時刻と、内部カウンター９３Ａにより計時される内部時刻とを比較して、同一であるか否かを判定する（ステップＳ２）。
このステップＳ２において、現在時刻と内部時刻とが同一である場合、表示時刻制御手段９５は、時刻修正処理を終了させ、指針１０を通常運針速度で運針させる。つまり、時刻修正を実施せず、通常の時刻表示処理を実施する。
【００３２】
ステップＳ２において、現在時刻と内部時刻とが異なる時刻であると判定された場合、表示時刻制御手段９５は、内部時刻が現在時刻に対して進んでいるか否かを判定する（ステップＳ３）。
ここで、表示時刻制御手段９５は、内部カウンター９３Ａの内部時刻の時、分、及び秒と、修正カウンター９３Ｂにセットされた現在時刻の時、分、及び秒と、を比較する。したがって、例えばカレンダー表示に用いる月及び日は、比較の対象としない。
【００３３】
このステップＳ３において、「Ｎｏ」と判定された場合、つまり、内部時刻が現在時刻に対して遅れている場合、表示時刻制御手段９５は、内部時刻と現在時刻との時刻差を算出し、当該時刻差に応じて、指針駆動手段１７のモーター駆動回路１７２を制御して、ステッピングモーター１７１を早送り駆動させる第一修正モードを実施する（ステップＳ４）。
例えば、上述のように、指針駆動手段１７が早送り運針時に、６４倍速で指針１０を駆動可能な構成であり、内部時刻が現在時刻よりも１秒間進んでいる場合、表示時刻制御手段９５は、１／６４秒間の早送り駆動を実施させる。これにより、約０．０２秒後に、指針１０に表示される時刻が、現在時刻に追い付き、表示時刻が修正される。
また、表示時刻制御手段９５は、内部カウンター９３Ａの内部時刻を、修正カウンター９３Ｂの現在時刻で更新する。
以上の後、制御手段９２は、時刻修正処理を終了させる。
【００３４】
一方、ステップＳ３において、「Ｙｅｓ」と判定された場合、つまり、内部時刻が現在時刻に対して進んでいる場合、表示時刻制御手段９５は、内部時刻と現在時刻との時刻差を算出する（ステップＳ５）。そして、この時刻差が予め設定された閾値以上であるか否かを判定する（ステップＳ６）。
【００３５】
ステップＳ６において、「Ｙｅｓ」と判定された場合、つまり、内部時刻と現在時刻との時刻差が所定の閾値以上である場合、表示時刻制御手段９５は、ステップＳ４の処理を実施して、第一修正モードにより、指針１０を早送り駆動させることで、指針１０により表示させる時刻を修正する。
【００３６】
一方、ステップＳ６において、「Ｎｏ」と判定された場合、つまり、内部時刻と現在時刻との時刻差が所定の閾値未満である場合、表示時刻制御手段９５は、第二修正モードを実施する。
具体的には、表示時刻制御手段９５は、計時手段９３による内部カウンター９３Ａの値（内部時刻）のカウントを停止させ、指針駆動手段１７におけるステッピングモーター１７１の駆動を停止させる。これにより、指針１０の運針が停止される（ステップＳ７）。
また、表示時刻制御手段９５は、内部カウンター９３Ａの値と、修正カウンター９３Ｂの値とを比較し、修正カウンター９３Ｂの値が、内部カウンター９３Ａの値と同値になったか否か、つまり、内部時刻と、計時手段９３によりカウントされる現在時刻とが同一になったか否かを判定する（ステップＳ８）。言い換えれば、ステップＳ１で現在時刻が取得されてから、ステップＳ５により算出された時刻差に対応した時間が経過し、現在時刻が内部時刻に追い付いたか否かを判定する。
ステップＳ８において、「Ｎｏ」と判定されると、つまり、修正カウンター９３Ｂでカウントされる現在時刻が、内部カウンター９３Ａの内部時刻に追い付いていない場合は、ステップＳ７に戻る。
一方、ステップＳ８において、「Ｙｅｓ」と判定された場合、つまり、修正カウンター９３Ｂでカウントされる現在時刻が、内部カウンター９３Ａの内部時刻と同一になったタイミングで、表示時刻制御手段９５は、計時手段９３による内部カウンター９３Ａの内部時刻のカウントを再開させ、指針１０の運針速度を元の通常運針速度に戻して運針を再開させる（ステップＳ９）。
以上の後、制御手段９２は、時刻修正処理を終了させる。
【００３７】
なお、上述した閾値としては、時刻修正に要する時間に基づいて適宜設定することができる。つまり、本実施形態では、上記のように、内部時刻が現在時刻よりも進んでいる場合、指針１０の運針を停止させ、現在時刻が内部時刻になったタイミングで再び通常運針速度での運針を開始させる。この時、指針１０を停止させる期間が長すぎると、ユーザーは、電波修正時計１が故障等の動作不良であるのか、時刻修正動作の途中であるのかを容易に判別することが困難となる。例えば、指針１０が１時間以上進んでいる場合に、１時間以上運針を停止させると、ユーザーは、当該１時間の間、動作不良であるか、時刻修正中であるかを確認することができず、また、正確な時刻の確認もできなくなる。
また、１つのステッピングモーター１７１により指針１０を駆動させる構成において、例えば早送り駆動時に指針１０を６４倍速で駆動させる場合、第一修正モードによる時刻修正に要する時間（第一修正時間）と、第二修正モードによる時刻修正に要する時間（第二修正時間）とは、約１１分を境にして逆転する。つまり、内部時刻及び現在時刻の時刻差が１１分未満である場合は、第二修正時間が第一修正時間よりも短く、１１分を超える場合には、第一修正時間が第二修正時間よりも短くなる。
したがって、１つのステッピングモーター１７１により指針１０を駆動させ、６４倍速で指針１０を早送り駆動可能な本実施形態では、閾値として、１１分の半分程度（例えば５分〜６分程度）に設定されていることが好ましい。このような閾値に設定されていることで、時刻修正に係る時間の短縮化を図れ、かつ、運針が停止している期間も短くなるため、ユーザーは、電波修正時計１が時刻修正動作の途中であるか、動作不良であるかを容易に判断することも可能となる。
なお、閾値としては、第一修正時間と第二修正時間とがほぼ同じ時間となる時間（本実施形態では１１分）としてもよい。この場合、第一修正モード及び第二修正モードのうち、時刻修正がより早く完了するいずれか一方により時刻修正を実施することができる。
また、例えばユーザーが操作手段６を操作することで、ユーザーの感覚に応じて、適宜閾値を設定可能な構成としてもよい。つまり、第二修正モードにおいて、ユーザーが、指針１０の停止を許容する時間は、ユーザーの感覚に応じて異なってくる。このような場合でも、ユーザーにより閾値が設定可能な構成であれば、例えば１分以上の指針停止は許容できないユーザーでは、閾値を１分として設定することができ、例えば３０分程度までの指針停止を許容できるユーザーでは、閾値を３０分として設定することができる。
【００３８】
［本実施形態の時刻修正処理に係る時間］
上述した様な本実施形態の電波修正時計１における時刻修正に係る時間について、以下説明する。
以下の表１は、１つのステッピングモーター１７１により指針１０を駆動させ、早送り修正時に、ステッピングモーター１７１を６４倍速で駆動可能な指針駆動手段１７を用いた際の、時刻修正に係る時間を示した表である。
【００３９】
【表１】
2014032067.tif 000003
【００４０】
上記表１に示すように、本実施形態では、閾値を１１分以内とすることで、従来に比べて、時刻修正に係る時間を短縮させることができる。また、内部時刻と現在時刻との時刻差が閾値以上である場合でも、６４Ｈｚの駆動パルスをステッピングモーター１７１に入力して指針１０を早送り駆動させるので、従来と同様の時間で時刻修正を実施することができる。
【００４１】
また、本実施形態では、１つのステッピングモーター１７１により指針１０を駆動させる例を示したが、上述したように、秒針１３を、秒駆動モーターにより駆動させ、時針１１及び分針１２を時分駆動モーターにより駆動させる構成などとしてもよく、分針１２及び秒針１３を、分秒駆動モーターにより駆動させ、時針１１を時駆動モーターにより駆動させる構成などとしてもよい。表２に、秒駆動モーター及び時分駆動モーターを用いた場合の時刻修正に係る時間、表３に、分秒駆動モーター及び時駆動モーターを用いた場合の時刻修正に係る時間を示す。なお、表２において、時分駆動モーターは、１２stepで分針１２を６度運針させるものとする。また、表３において、時駆動モーターは、１５stepで時針１１を、３０度運針させるものとする。
【００４２】
【表２】
2014032067.tif 000004
【００４３】
【表３】
2014032067.tif 000005
【００４４】
表２に示すように、時分駆動モーター及び秒駆動モーターを用いる場合では、指針１０を早送りして修正する第一修正時間が短縮される。したがって、閾値としては、第一修正時間と第二修正時間とがほぼ同じ時間となる「２分１４秒」の半分程度の約１分を採用することができる。この場合、時刻修正における、指針１０を停止させる時間の最大時間が短くなる。したがって、ユーザーは、指針１０が停止していても、時刻修正の途中であるか、電波修正時計１の動作不良であるか、１分以内に判断することができる。
【００４５】
また、表３に示すように、時駆動モーター及び秒駆動モーターを用いる場合では、第一修正時間がより短縮される。この場合では、閾値としては、第一修正時間と第二修正時間とがほぼ同じ時間となる「５５秒」を採用してもよい。この場合では、第一修正モード及び第二修正モードのうち、修正に係る時間が早い一方により時刻修正を行うことができる。また、第一修正モードによる修正が行われた場合でも、第二修正モードによる修正が行われた場合でも、１分以内に時刻修正が終了するため、ユーザーは、指針１０が停止していても、時刻修正の途中であるか、電波修正時計１の動作不良であるか、容易に判断することができる。
【００４６】
［本実施形態の作用効果］
本実施形態の電波修正時計１では、時刻修正処理において、指針１０を早送り駆動させて時刻を修正する指針駆動手段１７を備える。そして、表示時刻制御手段９５は、計時手段９３により計時される内部時刻、つまり指針１０により表示される表示時刻と、受信回路３から入力されたＴＣＯデータに基づいた時刻データ（現在時刻）とを比較する。
ここで、内部時刻が現在時刻よりも遅れている場合に、その時刻差に応じて、指針１０を早送り駆動させる第一修正モードを実施する。一方、内部時刻が現在時刻よりも進んでおり、その時刻差が所定の閾値未満である場合、第二修正モードを実施する。つまり、表示時刻制御手段９５は、修正カウンター９３Ｂにセットされた現在時刻が、停止されている内部カウンター９３Ａの内部時刻に追い付くまで指針１０を停止させ、現在時刻がカウントアップされて内部時刻に追い付くと、指針１０を通常運針速度で駆動させる。
このため、第二修正モードによる時刻修正では、時刻差に対応した待機時間の間、指針１０の駆動を停止させるので、指針１０を早送り駆動させる場合に比べて、指針１０の駆動に要する電力消費量を抑えることができる。したがって、ソーラーパネル１８を用いた発電装置のエネルギー収支を向上させることができる。なお、本実施形態では、ソーラーパネル１８を用いた発電装置を例示するが、ソーラーパネル１８以外の発電装置を用いた場合であっても同様に、エネルギー収支を向上できる。また、発電装置が設けられず、電池等の電力により電波修正時計１が駆動される構成である場合でも、電池の電力消費を抑えることができ、電池寿命を向上させることができる。
【００４７】
本実施形態の電波修正時計１では、内部時刻が現在時刻よりも進んでおり、かつ、その時刻差が所定の閾値以上である場合は、第一修正モードによる時刻修正を実施する。
このため、閾値以上の長時間、指針１０が停止したままとなる不都合が回避され、ユーザーは、電波修正時計１の動作不良と、時刻修正処理とを容易に判別することができる。
【００４８】
本実施形態では、第二修正モードにおいて、指針１０が停止される。
このため、第二修正モードによる時刻修正中では、指針１０の駆動に係る電力が「０」となり、時刻修正に要する電力を最大限減らすことができる。
また、第二修正モードによる時刻修正中、指針１０による表示時刻が変化しないため、例えば、現在時刻が内部時刻に追い付くまで指針１０の運針速度を通常運針速度よりも低減させる場合に比べ、より早く現在時刻が内部時刻に追い付き、より早く時刻修正を完了させることができる。
【００４９】
［第二実施形態］
次に、本発明に係る第二実施形態について、図面に基づいて説明する。
上述した第一実施形態では、表示時刻制御手段９５では、内部時刻が現在時刻よりも進んでおり、その時刻差が所定閾値未満である場合に、指針１０を停止させ、内部時刻と現在時刻とが一致するタイミングで、指針１０を通常運針速度に戻す処理をした。この場合、例えば短い期間であっても、指針１０が停止した状態となり、ユーザーは、電波修正時計１が動作不良であるか、時刻修正中であるかを容易に判別することができない。これに対して、本実施形態では、表示時刻制御手段９５は、内部時刻が現在時刻よりも進んでおり、その時刻差が所定閾値未満である場合、指針１０を通常運針速度よりも低い所定の低運針速度で、指針１０を駆動させる点で、上記第一実施形態と相違する。
なお、本実施形態は、上記第一実施形態と同様の構成を有するため、図１及び図２を用い、各構成の詳細な説明は省略又は簡略化する。
【００５０】
図４は、本実施形態における電波修正時計１における時刻修正処理を示すフローチャートである。
本実施形態では、上記第一実施形態と略同様の処理により時刻修正が実施されるが、図４に示すように、ステップＳ６において「Ｎｏ」と判定された場合、つまり、内部時刻と現在時刻との時刻差が閾値未満であると判定された場合の処理が、上記第一実施形態と異なる。
【００５１】
具体的には、本実施形態では、ステップＳ６において、「Ｎｏ」と判定されると、表示時刻制御手段９５は、計時手段９３による内部カウンター９３Ａの値（内部時刻）のカウントを通常よりも遅くする。そして、表示時刻制御手段９５は、この内部カウンター９３Ａの値に合わせて、指針駆動手段１７におけるステッピングモーター１７１の駆動を通常運針速度よりも低い所定の低運針速度で駆動させる（ステップＳ１０）。
【００５２】
この後、第一実施形態と同様、ステップＳ８の処理を実施し、内部カウンター９３Ａの値と、修正カウンター９３Ｂの値とを比較し、修正カウンター９３Ｂの値が、内部カウンター９３Ａの値と同値になったか否かを判定する。
ステップＳ８において、「Ｎｏ」と判定された場合は、ステップＳ１０に戻り、指針１０の低速での運針を継続する。一方、ステップＳ８において、「Ｙｅｓ」と判定された場合、第一実施形態のステップＳ９を実施し、表示時刻制御手段９５は、指針１０の駆動を通常運針速度に戻し、内部カウンター９３Ａのカウントの速度も通常速度に戻す。
【００５３】
なお、本実施形態では、ステップＳ８において、内部カウンター９３Ａの内部時刻と、修正カウンター９３Ｂの現在時刻とが一致したタイミングまで、指針１０を低運針速度で運針させる例を示したが、これに限らない。
例えば、内部カウンター９３Ａの内部時刻と、修正カウンター９３Ｂの現在時刻とが、所定時間差（例えば５秒）になった際に、内部カウンター９３Ａのカウント及び指針１０の運針を停止させてもよい。この場合、上記第一実施形態と同様に、修正カウンター９３Ｂによりカウントされる現在時刻が、内部カウンター９３Ａの内部時刻と一致したタイミングで、指針１０を通常運針速度で駆動させ、内部カウンター９３Ａの内部時刻を通常速度でカウントする。このような構成では、例えば修正カウンター９３Ｂによりカウントされる現在時刻が、内部カウンター９３Ａの内部時刻を追い抜く不都合を防止できる。
【００５４】
［第二実施形態の作用効果］
本実施形態では、第二修正モードにおいて、指針１０を停止させるのではなく、通常の運針速度よりも低い低運針速度で指針１０を駆動させる。
この場合、第二修正モードでの時刻修正が実施されている間でも、指針１０が低速で運針されているので、ユーザーは、指針１０が停止する電波修正時計１の動作不良と、時刻修正動作とを容易に判別することができる。
【００５５】
［実施形態の変形］
本発明は前述の実施形態に限定されるものではなく、本発明の目的を達成できる範囲での変形、改良等は本発明に含まれるものである。
【００５６】
上述したような電波修正時計１において、標準電波の受信処理を実施中に、指針１０の駆動を停止させる構成としてもよい。この場合、受信処理中のステッピングモーター１７１のパルス駆動が停止されることで、ステッピングモーター１７１から発せられるノイズ成分の影響をなくすことができ、標準電波の受信感度を向上させることができる。
この場合、表示時刻制御手段９５は、指針１０の針位置に対応した時刻を記憶する針位置記憶部を備えることが好ましい。これにより、表示時刻制御手段９５は、受信処理が失敗（タイムアウト）した場合でも、針位置記憶部に記憶された指針１０の表示時刻と、内部カウンター９３Ａの内部時刻との時刻差に基づいて、指針１０を内部時刻に応じた位置に戻すことができる。
【００５７】
また、上記のように受信処理中に指針１０の駆動を停止させる場合、ユーザーの操作手段６の操作に基づいて受信処理及び時刻修正処理を実施する強制受信モードと、予め設定された時刻（例えば午前２時等）において受信処理及び時刻修正処理を自動的に実施する自動受信モードとで、時刻修正方法を異ならせてもよい。
例えば、強制受信モードにより、時刻修正を実施する場合、ユーザーに対して標準電波の受信状態（受信レベル）を知らせるために、指針１０のうちの１つ（通常は秒針１３）を、受信レベルに応じた位置に移動させる。この場合、表示時刻制御手段９５は、強制受信モードによる時刻修正が実施されると、まず、秒針１３を０秒位置に早送り駆動させて移動させ、停止させる。これにより、ユーザーは、受信処理が開始されたことを把握することができる。その後、表示時刻制御手段９５は、１分間隔で受信した標準電波の受信レベルを表示する。具体的には、受信レベルが低い場合に秒針１３を早送り駆動させて低レベル表示位置（例えば４０秒位置）に移動させ、受信レベルが高い場合に秒針１３を早送り駆動させて高レベル表示位置（例えば５０秒の位置）に移動させる。
ここで、標準電波は、１秒毎に出力される０．５秒のパルス（１）と、０．８秒のパルス（０）との組み合わせにより構成され、０秒のマーカーを送信した時点での分、時、１月１日からの通算日、年、曜日、うるう秒の有無等を含む信号となり、１分周期で発信されている。この標準電波のうち、実際に時刻修正として用いる信号部分は、最初の０秒から５５秒程度の間に発信された信号であり、残りの５秒程度の間に発信された部分は、時刻修正とは無関係な信号となる。
したがって、表示時刻制御手段９５は、上記のような時刻修正とは無関係な信号が発信される５秒程度の間に、指針１０を早送り駆動させて、受信レベルの表示を更新する。すなわち、強制受信モードによる時刻修正では、１分間隔で、秒針１３を早送りさせて、低レベル表示位置及び高レベル表示位置のいずれかに移動させる。これにより、分針１２及び時針１１も内部時刻に合わせて１分毎に、１分に対応した角度だけ移動されることになる。
【００５８】
例えば、強制受信モードを開始した時点での内部時刻が、１時１０分３０秒である場合、表示時刻制御手段９５は、まず、指針１０を早送り駆動させ、秒針１３を０秒位置に移動させる。すなわち、指針１０は、１時１１分００秒を示すことになり、表示時刻制御手段９５の針位置記憶部には、１時１１分００秒が記憶される。
この後、最初に受信した標準電波の受信レベルが低い場合、表示時刻制御手段９５は、指針１０を正転方向に４０秒分早送り駆動させて、１時１１分４０秒の位置に移動させ、針位置記憶部にも１時１１分４０秒が記憶される。その後、再び標準電波が受信され、標準電波の受信レベルが高い場合、表示時刻制御手段９５は、指針１０を正転方向に７０秒分早送り駆動させて、１時１２分５０秒の位置に指針１０を移動させ、針位置記憶部にも１時１２分５０秒が記憶される。以降、現在時刻が取得されるまで、或いは、受信処理がタイムアウトとなるまで、同様の処理を繰り返す。
【００５９】
この後、上述した第一実施形態及び第二実施形態におけるステップＳ１（図３、図４参照）以降の処理を実施する。
ここで、ステップＳ２の処理において、「Ｙｅｓ」と判定された場合（現在時刻と内部時刻とが同一時刻である場合）、表示時刻制御手段９５は、内部カウンター９３Ａの内部時刻と、針位置記憶部に記憶される時刻との時刻差を算出し、指針１０を早送り駆動させて内部時刻に合わせる。
この際、上述したように、受信処理中、時針１１及び分針１２も、秒針１３の移動に連動して、１分毎に約１分分移動されるので、内部時刻の時分と、時針１１及び分針１２が示す時分の位置はほぼ同じ位置となる。したがって、例えば秒針１３を受信レベル表示位置から０秒位置に早送りして移動させる等、僅かな駆動量で指針１０の表示位置を内部時刻に合わせることができる。
【００６０】
一方、ステップＳ２で「Ｎｏ」と判定され、ステップＳ３において「Ｎｏ」と判定された場合、又は、ステップＳ６において「Ｙｅｓ」と判定された場合、第一修正モードを実施する。この場合、秒針１３は受信レベル表示位置に位置しているので、表示時刻制御手段９５は、内部時刻と現在時刻との時刻差に加え、内部時刻と針位置記憶部に記憶された時刻との時刻差（秒針１３を受信レベル表示位置から０秒位置までの移動させるための時間分）を考慮して、指針１０を早送り駆動させる。例えば、秒針１３が低レベル表示位置（４０秒位置）に位置している場合、内部時刻と現在時刻との時刻差に２０秒を加えた時間分を早送り駆動させる。
一方、第二修正モードによる時刻修正では、例えばステップＳ７において、現在時刻が針位置記憶部に記憶される時刻になるタイミングで指針１０の運針速度を通常運針速度に戻し、内部カウンター９３Ａの内部時刻を、修正カウンター９３Ｂの現在時刻で更新する。
なお、現在時刻及び内部時刻の時刻差と、現在時刻及び針位置記憶部に記憶される時刻の時刻差とを比較して、現在時刻及び内部時刻の時刻差が大きい場合、例えば、現在時刻が１時５０分００秒、内部時刻が１時５０分５５秒、針位置が１時５０分５０秒の場合、内部カウンター９３Ａの内部時刻（１時５０分５５秒）を針位置記憶部の時刻（１時５０分５０秒）に修正した上で、内部時刻と現在時刻とが一致するタイミングで指針１０の駆動を通常運針速度に戻す処理をしてもよい。
また、現在時刻及び針位置記憶部に記憶される時刻の時刻差が大きい場合、例えば、現在時刻が１時５０分００秒、内部時刻が１時５０分３０秒、針位置が１時５０分５０秒の場合、修正カウンター９３Ｂの現在時刻とともに、内部カウンター９３Ａの内部時刻も針位置記憶部に記憶される時刻（１時５０分５０秒）までカウントアップさせ、その後、内部カウンター９３Ａの内部時刻を停止させ、修正カウンター９３Ｂの現在時刻と内部時刻とが一致するタイミングで指針１０の駆動を通常運針速度に戻す処理をしてもよい。
【００６１】
一方、自動受信モードでは、上述の強制受信モードのような指針１０による受信レベルの表示を実施しない。したがって、この場合、針位置記憶部には、受信処理が開始された際に指針１０が表示する時刻（例えば２時００分００秒）が記憶されることになる。
この場合、ステップＳ２において、現在時刻と内部時刻とが同一と判定されると、内部時刻と針位置記憶部に記憶される時刻との時刻差分だけ、指針１０を早送りさせる。また、ステップＳ４の第一修正モードによる修正では、内部時刻と現在時刻との時刻差に加え、内部時刻と針位置記憶部に記憶される時刻との時刻差分に加えた時間分、指針１０を早送り駆動させる。すなわち、現在時刻と針位置記憶部に記憶される時刻との時刻差分だけ、指針１０を早送り駆動させる。
【００６２】
一方、第二修正モードでは、例えばステップＳ７において、現在時刻、内部時刻、及び針位置記憶部に記憶される時刻に応じて、指針１０を停止させる時間を変更してもよい。
例えば、現在時刻が１時５９分００秒、内部時刻が２時０４分００秒、針位置記憶部に記憶される時刻が２時００分００秒である場合、現在時刻が針位置記憶部に記憶される時刻となったタイミングで指針１０を通常運針速度に戻し、内部カウンター９３Ａの内部時刻を現在時刻で更新する。なお、内部カウンター９３Ａの内部時刻を針位置記憶部に記憶される時刻に修正し、修正カウンター９３Ｂの現在時刻が内部カウンター９３Ａの内部時刻に一致したタイミングで指針１０を通常運針速度に戻す処理をしてもよい。
また、例えば、現在時刻が２時０２分００秒、内部時刻が２時０４分００秒、針位置記憶部に記憶される時刻が２時００分００秒である場合、第一修正モードにより指針１０を早送り駆動させて現在時刻２時０２分００秒の位置まで駆動させ、その後、通常運針速度に戻すとともに、内部カウンター９３Ａの内部時刻を現在時刻で更新する。
【００６３】
上記第一実施形態では、閾値として、第一修正モードの時刻修正に要する第一修正時間と、第二修正モードの時刻修正に要する第二修正時間とが同一となる時間の半分を閾値として設定したが、例えば、第一修正時間と第二修正時間とが同一となる時間を閾値としてもよい。
この場合、第一修正モード及び第二修正モードのうち、より早く修正動作が完了する一方により時刻修正を実施することができる。
【００６４】
上記第二実施形態では、第二修正モードにおいて、指針１０の運針速度を通常の運針速度よりも低い低運針速度で運針させることで、時計の動作不良と、第二修正モードによる時刻修正動作とを容易に判別できるようにしたがこれに限定されない。
例えば、表示手段５に、第二修正モードでの時刻修正動作が実施されていることを示す修正報知手段を設け、第二修正モードでの時刻修正時に、この修正報知手段により時刻修正中である旨をユーザーに知らせる構成などとしてもよい。このような修正報知手段としては、例えば、文字板に「時刻修正中」「通常運針中」等の時計の駆動状態を示す表示部と、これらの表示部のいずれかを指す表示針とを備える構成が例示できる。この場合、表示時刻制御手段９５は、時刻修正を実施する際に、表示針が「時刻修正中」を示す状態に当該表示針を移動させる。
また、修正報知手段としては、その他、例えばＬＥＤ等の照明を点灯させたり、音声により時刻修正動作を知らせたりする構成等としてもよい。
このような修正報知手段を設けることで、例えば第一実施形態のように第二修正モードにおいて指針１０を停止させる場合でも、ユーザーは、修正報知手段により報知される情報を確認することで、電波修正時計１の動作不良と、時刻修正動作とを容易に判別することができる。
【００６５】
上記第一及び第二実施形態では、現在時刻取得手段として、標準電波を受信し、標準電波に含まれるＴＣＯデータから時刻データを取得する例を示すが、これに限定されない。例えば、ＧＰＳ衛星等の位置情報衛星から発信される衛星信号から送信される衛星信号を受信し、衛生信号に含まれる現在時刻を取得する構成としてもよい。
その他、いかなる手段により、現在時刻を取得する構成としてもよい。
【００６６】
上記第一実施形態では、内部時刻が現在時刻よりも進んでいる場合に、時刻差が閾値以上である場合に、第一修正モードでの時刻修正を実施する例を示したが、例えば、時刻差に関わらず、第二修正モードでの時刻修正を実施する構成としてもよい。この場合、上記第二実施形態のように、指針１０の運針速度を低運針速度に設定したり、上述したような修正報知手段を設ける構成としたりすることが好ましい。
【００６７】
また、上記第一実施形態において、指針駆動手段１７として、時針１１、分針１２、及び秒針１３を１つのステッピングモーターにより駆動する構成を例示し、その他の例として、分針１２及び秒針１３を分秒駆動モーターにより駆動させ、時針１１を時駆動モーターにより駆動させる構成、時針１１及び分針１２を時分駆動モーターにより駆動させ、秒針１３を秒駆動モーターにより駆動させる構成を例示したが、これに限定されない。例えば、時針１１、分針１２、及び秒針１３がそれぞれ異なるステッピングモーターにより駆動させる構成、つまり３つのステッピングモーターが設けられる構成などとしてもよい。
【００６８】
また、上記のように指針駆動手段１７が複数のステッピングモーターを有する構成である場合、複数のステッピングモーターのいずれか１つの駆動を停止、又は低速駆動させ、他のステッピングモーターを早送り駆動させる構成としてもよい。
例えば、秒針１３を、秒駆動モーターにより駆動させ、時針１１及び分針１２を時分駆動モーターにより駆動させる構成では、表２に示すように、内部時刻（表示時刻）が３０秒進んでいる場合、秒針１３は、０．４７秒の早送り駆動で現在時刻に対応した指針位置に修正でき、時針１１及び分針１２は、早送り駆動では、修正に１３４・９８秒の時間を要する。このような場合、例えば、時分駆動モーターのみ３０秒間停止させ、秒駆動モーターを０．４７秒間早送り駆動させてもよい。この場合でも、時分駆動モーターの駆動に要する電力を低減でき、秒駆動モーター及び時分駆動モーターの双方を早送り駆動させる場合に比べて、省電力化を図ることができる。また、秒針１３のみではあるが、より迅速に現在時刻に対応した指針位置に移動させることができ、ユーザーは正確な現在時刻における秒を把握することができる。
【００６９】
また、カレンダーを表示させるカレンダー表示部を備える構成などとしてもよい。この場合、カレンダー表示部により表示される表示日が、標準電波等に基づいて取得される現在日と異なり、かつ表示日が現在日よりも進んでいる場合に、現在日が表示日となるまでカレンダーの表示部の表示切り替えを行わない構成としてもよい。なお、現在日がカレンダーにより表示される表示日に追い付くまで、指針の駆動を停止させる等の構成とすると、非常に長い期間、指針が駆動されないことになり、現実的ではない。したがって、カレンダーの表示を切り替えるカレンダー駆動機構と、指針の駆動機構とを別の駆動機構とすることが好ましい。この場合、指針１０を通常運針速度で駆動させつつ、カレンダー駆動機構を停止させることで、時刻表示を通常通り駆動させることができる。
【００７０】
また、時刻修正を実施する時間帯に応じて閾値を変更する構成としてもよい。例えば、上記第一及び第二実施形態では、例えば午前２時等の予め設定された時刻で受信処理及び時刻修正処理が実施される。この場合、ユーザーが就寝中である等、電波修正時計１を使用していない時間である可能性が高く、このような場合では、閾値をより大きくしてもよく、また内部時刻と現在時刻との時刻差に関わらず、第二修正モードによる時刻修正を実施してもよい。
【００７１】
上記第一及び第二実施形態では、正転方向にのみ駆動可能なステッピングモーター１７１を例示したが、例えば、逆転方向にも駆動可能なステッピングモーター１７１を用いてもよい。すなわち、本実施形態の電波修正時計１は、少なくとも通常運針時及び時刻修正時において、ステッピングモーター１７１を正転方向に駆動させ、指針１０を正転方向に駆動させる構成であればよい。
【符号の説明】
【００７２】
１…電波修正時計、２…アンテナ、３…受信回路、４…制御装置、５…表示手段、７…発振回路、８…分周回路、９…制御回路、１０…指針、１１…時針、１２…分針、１３…秒針、１７…指針駆動手段、１８…ソーラーパネル、９１…受信処理手段（現在時刻取得手段）、９２…制御手段、９３…計時手段、９３Ａ…内部カウンター（内部時刻計時手段）、９３Ｂ…修正カウンター（現在時刻更新手段）、９５…表示時刻制御手段（時刻修正手段）、１７１…ステッピングモーター。
【図１】
2014032067.tif 000006
【図２】
2014032067.tif 000007
【図３】
2014032067.tif 000008
【図４】
2014032067.tif 000009